(57)【要約】  【課題】子局ターミナルの固有識別情報の設定操作や確認操作を容易にし、また、子局ターミナルが正常に動作しなくなった場合にも固有識別情報の抽出を可能とする、固有識別情報設定構造およびその構造に使用する子局ターミナルと情報付与装置を提供する。  【解決手段】本発明に係る第一の固有識別情報設定構造では、記憶手段と、アンテナと、前記アンテナで受信した電磁波の電力で動作する演算処理手段を備えた情報付与部が、前記記憶手段に記憶された固有識別情報に対応する子局ターミナルに取付けられる。そして、前記情報付与部が、前記子局ターミナルおよび前記子局ターミナルと別体の端末装置に、前記固有識別情報を引き渡す。本発明に係る第二の固有識別情報設定構造は、第一の固有識別情報設定構造における情報付与部を子局ターミナルに着脱自在とし、固有識別情報を視認可能に表示したものである。【選択図】  図１
2012059965.tif 000002
【特許請求の範囲】
【請求項１】
記憶手段と、アンテナと、前記アンテナで受信した電磁波の電力で動作する演算処理手段を備えた情報付与部が、前記記憶手段に記憶された固有識別情報に対応する子局ターミナルに取付けられ、前記情報付与部が、前記子局ターミナルおよび前記子局ターミナルと別体の端末装置に、前記固有識別情報を引き渡すことを特徴とする固有識別情報設定構造。
【請求項２】
前記子局ターミナルは、前記情報付与部と電磁波の授受を行い、前記固有識別情報を受取る読取手段を備えている請求項１に記載の固有識別情報設定構造。
【請求項３】
前記情報付与部が、前記記憶手段と前記子局ターミナルの内部回路を有線接続する接続手段を有する請求項１に記載の固有識別情報設定構造。
【請求項４】
前記情報付与部は前記電力で動作する報知応答手段を備え、前記固有識別情報を含む応答要請信号への報知応答をする請求項１、２、または３に記載の固有識別情報設定構造。
【請求項５】
記憶手段を備えた情報付与部が、前記記憶手段に記憶された固有識別情報に対応する子局ターミナルに着脱自在に取付けられ、前記固有識別情報を視認可能に表示することを特徴とする固有識別情報設定構造。
【請求項６】
前記記憶手段は、複数のアレイで構成されるスイッチ構造である請求項５に固有識別情報設定構造。
【請求項７】
記憶手段と、アンテナと、前記アンテナで受信した電磁波の電力で動作する演算処理手段を備えた情報付与部を内包し、前記情報付与部が、前記子局ターミナルと別体の端末装置に、前記固有識別情報を引き渡すことを特徴とする子局ターミナル。
【請求項８】
前記情報付与部と電磁波の授受を行い、前記固有識別情報を受取る読取手段を備えている請求項７に記載の子局ターミナル。
【請求項９】
内部回路と前記記憶手段が有線接続される請求項７に記載の子局ターミナル。
【請求項１０】
前記情報付与部が脱着可能である請求項７、８、または９に記載の子局ターミナル。
【請求項１１】
固有識別情報の記憶手段を備えた情報付与部が、着脱自在に取付けられ、前記固有識別情報を視認可能に表示することを特徴とする子局ターミナル。
【請求項１２】
前記記憶手段は、複数のアレイで構成されるスイッチ構造である請求項１１に記載の子局ターミナル。
【請求項１３】
記憶手段と、アンテナと、前記アンテナで受信した電磁波の電力で動作する演算処理手段を備え、前記記憶手段は、前記記憶手段に記憶された固有識別情報に対応する子局ターミナルの内部回路に対し有線接続する接続手段を有することを特徴とする情報付与装置。
【請求項１４】
記憶手段と、アンテナと、前記アンテナで受信した電磁波の電力で動作する演算処理手段と、前記電力で動作する報知応答手段を備え、前記固有識別情報を含む応答要請信号への報知応答をすることを特徴とする情報付与装置。
【請求項１５】
記憶手段と、前記記憶手段に記憶された固有識別情報に対応する子局ターミナルに有線接続する接続手段を備え、前記固有識別情報を視認可能に表示することを特徴とする情報付与装置。
【請求項１６】
前記記憶手段は、複数のアレイで構成されるスイッチ構造である請求項１５に記載の情報付与装置。
【発明の詳細な説明】
【技術分野】
【０００１】
本発明は、共通のデータ信号線を介して親局との間で制御・監視信号の伝送を行なう子局ターミナルに対し、信号の伝送に必要となる、各子局ターミナルに固有の識別情報（以下、固有識別情報という）を設定するための構造と、その構造に使用する子局ターミナルと情報付与装置に関するするものである。なお、共通のデータ信号線とは、子局ターミナルの複数が並列に接続され、更に親局がそれら複数の子局と並列に接続される信号線である。
【背景技術】
【０００２】
単一の制御部と複数の被制御装置（制御部の指示に応じて動作する被制御部と制御部に情報を送信するセンサ部とで構成されるもの）を備える制御システムにおいて、配線の数を減らす省配線技術がある。例えば、特開２００２−２７１８７８号公報には、制御部及びデータ信号線に接続される親局と、データ信号線及び対応する被制御装置に接続される複数の子局を備えた制御・監視信号伝送システムが開示されている。【０００３】
上記制御・監視信号伝送システムでは、電源を含むクロック信号の線路に、各クロックに対応する１つ（１ビット）の制御信号やセンサ信号（被制御装置からの入力信号）を重畳する信号伝送方式が採用されている。その一方で、制御部及び被制御装置における入出力信号は、通常、パラレル形式となるため、これらパラレル形式の信号を、シリアル形式の信号に変換する必要がある。そこで、制御部における入出力信号のパラレル／シリアル変換を行なう親局と、被制御装置における入出力信号のパラレル／シリアル変換を行なう子局が配置されている。
【先行技術文献】
【特許文献】
【０００４】
【特許文献１】特開２００２‐２７１８７８号公報
【発明の概要】
【発明が解決しようとする課題】
【０００５】
上記制御・監視信号伝送システムを含む従来のシステムにおいて、各子局ターミナルの固有識別情報、例えばアドレス値が、信号伝送において必要となる。そこで、従来の子局ターミナルはその各々に、固有識別情報を機械的に設定するためのスイッチ機構が設けられていた。【０００６】
しかしながら、子局ターミナルの小型化が要求されている現状においては、固有識別情報を機械的に設定する場合、スイッチ機構のサイズも子局のサイズにあわせて小型化する必要があり、人手による操作や視認が極めて困難になるという問題があった。【０００７】
そのような問題に対し、子局ターミナルに記憶装置を搭載し、固有識別情報を外部から、或は予め記憶装置に記憶させる手法も考えられる。しかしながら、子局ターミナルに搭載した記憶装置に固有識別情報を記憶させる手法では、子局ターミナルが正常に動作しなくなった場合、固有識別情報を抽出することができなくなるという問題があった。【０００８】
そこで、本発明は、子局ターミナルの固有識別情報の設定操作や確認操作を容易にし、また、子局ターミナルが正常に動作しなくなった場合にも固有識別情報の抽出を可能とする、固有識別情報設定構造およびその構造に使用する子局ターミナルと情報付与装置を提供することを目的とする。
【課題を解決するための手段】
【０００９】
本発明に係る第一の固有識別情報設定構造では、記憶手段と、アンテナと、前記アンテナで受信した電磁波の電力で動作する演算処理手段を備えた情報付与部が、前記記憶手段に記憶された固有識別情報に対応する子局ターミナルに取付けられる。そして、前記情報付与部が、前記子局ターミナルおよび前記子局ターミナルと別体の端末装置に、前記固有識別情報を引き渡す。【００１０】
前記子局ターミナルは、前記情報付与部と電磁波の授受を行い前記固有識別情報を受取る読取手段を備えているものであってもよい。【００１１】
前記記憶手段は、前記子局ターミナルの内部回路に対し有線接続する接続手段を有するものであってもよい。【００１２】
前記情報付与部は前記電力で動作する報知応答手段を備え、前記固有識別情報を含む応答要請信号への報知応答をするものであってもよい。【００１３】
本発明に係る第二の固有識別情報設定構造では、記憶手段を備えた情報付与部が、前記記憶手段に記憶された固有識別情報に対応する子局ターミナルに着脱自在に取付けられ、前記固有識別情報を視認可能に表示する。【００１４】
本発明に係る第二の固有識別情報設定構造において、前記記憶手段は、複数のアレイで構成されるスイッチ構造であってもよい。【００１５】
本発明に係る第一の子局ターミナルは、記憶手段と、アンテナと、前記アンテナで受信した電磁波の電力で動作する演算処理手段を備えた情報付与部を内包する。そして、前記情報付与部が、前記子局ターミナルと別体の端末装置に、前記固有識別情報を引き渡す。【００１６】
本発明に係る第一の子局ターミナルは、前記情報付与部と電磁波の授受を行い前記固有識別情報を受取る読取手段を備えていてもよく、或は、内部回路と前記記憶手段が有線接続されるものであってもよい。また、前記情報付与部が脱着可能となるものであってもよい。【００１７】
本発明に係る第二の子局ターミナルは、固有識別情報の記憶手段を備えた情報付与部が、着脱自在に取付けられ、前記固有識別情報を視認可能に表示するものである。前記記憶手段は、複数のアレイで構成されるスイッチ構造であってもよい。【００１８】
本発明に係る第一の情報付与装置は、記憶手段と、アンテナと、前記アンテナで受信した電磁波の電力で動作する演算処理手段を備え、前記記憶手段は、前記記憶手段に記憶された固有識別情報に対応する子局ターミナルの内部回路に対し有線接続する接続手段を有する。【００１９】
本発明に係る第二の情報付与装置は、記憶手段と、アンテナと、前記アンテナで受信した電磁波の電力で動作する演算処理手段と、前記電力で動作する報知応答手段を備え、前記固有識別情報を含む応答要請信号への報知応答をする。【００２０】
本発明に係る第三の情報付与装置は、記憶手段と、前記記憶手段に記憶された固有識別情報に対応する子局ターミナルに有線接続する接続手段を備え、前記固有識別情報を視認可能に表示する。
【発明の効果】
【００２１】
本発明に係る第一の固有識別情報設定構造によれば、子局ターミナルに取付けられた情報付与部が、その記憶手段に記憶された固有識別情報を子局ターミナルに引き渡すので、情報付与部を子局ターミナルに取付けるのみで、子局ターミナルに対する固有識別情報の設定を容易に行なうことができる。また、情報付与部は、子局ターミナルと別体の端末装置に対しても固有識別情報を引き渡すため、子局ターミナルと別体の端末を使用して固有識別情報を容易に確認することができる。更に、子局ターミナルが正常に動作しなくなった場合にも、子局ターミナルと別体の端末装置を使用して固有識別情報を抽出することが可能となる。【００２２】
情報付与部から子局ターミナルへの固有識別情報の引き渡しは、無接触で行なわれても良く、或は有接触で行なわれてもよい。すなわち、子局ターミナルが、情報付与部と電磁波の授受を行い固有識別情報を受取る読取手段を備えていれば、無接触で行なわれることになり、この場合は、情報付与部として公知のＩＣタグを転用できる利点がある。また、情報付与部の記憶手段が、子局ターミナルの内部回路に対し有線接続する接続手段を有するものであれば、固有識別情報の引き渡しは有線接続で行なわれることになり、従来の子局ターミナルに複雑な通信回路を加えることなく、僅かな変更を加えるのみで適用できる利点がある。【００２３】
また、情報付与部が、アンテナで受信した電磁波の電力で動作する報知応答手段を備え、固有識別情報を含む応答要請信号への報知応答をするものであれば、前記端末装置等から応答要請信号を発するのみで、固有識別情報の確認を極めて容易に行なうことが可能となる。【００２４】
本発明に係る第二の固有識別情報設定構造は、第一の固有識別情報設定構造における情報付与部の固有識別情報を視認可能に表示したものであり、従って、別体の端末装置に固有識別情報を引き渡すことなく視認可能に表示するものとなっている。第一の固有識別情報設定構造と同様に、情報付与部を子局ターミナルに取付けるのみで、子局ターミナルに対する固有識別情報の設定を容易に行なうことができ、また、情報付与部を取り外して固有識別情報を容易に確認することができる。更に、子局ターミナルが正常に動作しなくなった場合にも、取り外して固有識別情報を抽出することが可能となる。固有識別情報を視認可能に表示する記憶手段としては、例えば、複数のアレイで構成されるスイッチ構造が好適である。【００２５】
情報付与部は、子局ターミナルと別体でもよく、或は子局ターミナルと一体としてもよい。なお、本発明に係る子局ターミナルは、情報付与部が一体となったものである。【００２６】
情報付与部は、子局ターミナルと一体であっても、子局ターミナルに対し脱着可能であることが好ましく、その場合、情報付与部の交換を容易に行なうことができる。また、情報付与部の記憶手段として書き換え可能なものを採用する場合は、情報付与部を子局ターミナルから取り外し、作業性の良い場所で固有識別情報の書き換えを行なうことができる。そのため、固有識別情報の設定が容易であることに加え、修正作業を容易に行なうことも可能となる。【００２７】
本発明に係る第一の情報付与装置は、記憶手段と、アンテナと、アンテナで受信した電磁波の電力で動作する演算処理手段を備え、記憶手段は、記憶手段に記憶された固有識別情報に対応する子局ターミナルの内部回路に対する接続手段を有するので、本発明に係る固有識別情報設定構造を、従来の子局ターミナルにわずかな改良を加えるのみで適用する場合に好適である。【００２８】
また、本発明に係る第二の情報付与装置は、記憶手段と、アンテナと、前記アンテナで受信した電磁波の電力で動作する演算処理手段と、前記電力で動作する報知応答手段を備え、前記固有識別情報を含む応答要請信号への報知応答をするため、子局ターミナルの固有識別情報の設定操作を容易にすることに加え、特に固有識別情報の確認が重要となる場合に好適である。【００２９】
更に、本発明に係る第三の情報付与装置は、公知のスイッチ構造を利用した簡易な構造でありながら、本発明に係る固有識別情報設定構造に適用することができる。
【図面の簡単な説明】
【００３０】
【図１】本発明に係る固有識別情報設定構造を有する子局ターミナルの実施例のブロック図である。
【図２】同子局ターミナルが使用される制御・監視信号伝送システムの構成図である。
【図３】端末装置のブロック図である。
【図４】子局ターミナルの他の実施例のブロック図である。
【図５】子局ターミナルの更に他の実施例のブロック図である。
【発明を実施するための形態】
【００３１】
図１〜３を参照しながら、本発明に係る第一の固有識別情報設定構造を採用した第一の子局ターミナルの実施例について説明する。
まず、子局ターミナルが使用されている制御・監視信号伝送システムの構成について説明する。この制御・監視信号伝送システムは、図２に示すように、制御部５から隔れて配置されている被制御装置１を制御するためのものとなっている。制御部５には親局４が接続され、更に、親局４には共通のデータ信号線ＤＰ、ＤＮ（以下、共通データ信号線ＤＰ、ＤＮとする）が接続されている。そして、子局ターミナル２の複数の各々が、被制御装置１の各々に対応して配置されるとともに、共通データ信号線ＤＰ、ＤＮに接続されている。
【００３２】
制御部５は、コンピュータ等であり、制御データ５３を送出する出力ユニット５１と、被制御装置の動作に関する監視データ５４を受取る入力ユニット５２を有する。そして、これら出力ユニット５１と入力ユニット５２が親局４に接続されている。
【００３３】
親局４は、子局ターミナル２から送出された監視信号の監視データ５４を制御部５に引き渡すとともに、所定のタイミング信号に基づき一連のパルス状信号を生成し、この信号を共通データ信号線ＤＰ、ＤＮに送出している。以下、共通データ信号線ＤＰ、ＤＮに送出される一連のパルス状信号を、伝送クロック信号というものとする。
【００３４】
被制御装置１は、被制御部１１と、被制御部１１に関する監視を行なうセンサ部１２とで構成されている。被制御部１１とセンサ部１２としては、例えば、アクチュエータと、そのシリンダ内ロッドの所定の位置に組み込まれた磁石の磁気量を検出する磁気センサが挙げられるが、これに限定されるものではなく、部品棚における取出指示表示と取出完了レバーなど、その他の構成であってもよい。
【００３５】
子局ターミナル２は、筐体に、図示しないカードスロットを有している。そして、このカードスロットには、本発明の情報付与部に相当するＩＣタグ３が着脱自在に挿入されている。また、子局ターミナル２は、ＩＣタグ３の読取手段２１を備え、更に、内部回路としてマイクロコンピュータ・コントロール・ユニットであるＭＣＵ２３を備えている。
【００３６】
ＩＣタグ３は、アンテナ３１と、ＩＣチップ３２を内包した公知の製品のものである。ＩＣチップ３２は、アンテナ３１で受信した電磁波の電力で動作する演算処理手段としての機能と、子局ターミナル２に関するアドレス情報、型式情報、仕様情報等の固有識別情報を記憶する記憶手段としての機能を果たすものとなっている。
【００３７】
読取手段２１は、誘導アンテナ２２を有し、ＩＣタグ３と電磁波の授受を行い、ＩＣチップ３２に記憶された固有識別情報を受取るものとなっている。また、読取手段２１は、ＭＣＵ２３の入出力部ＳＩＯに接続されており、ＩＣタグ３から得た固有識別情報をＭＣＵ２３に引き渡すものとなっている。なお、ＩＣタグ３として、ＩＣチップ３２がデータの書き換えを許容するものを採用した場合には、ＭＣＵ２３から出力されたデータを、読取手段２１を介してＩＣチップ３２に書き込むことも可能となっている。図１において、読取手段２１の誘導アンテナ２２と、ＩＣタグ３のアンテナ３１との間の矢線は、電磁波の授受を表している。
【００３８】
ＭＣＵ２３は、図１に示すように、ＣＰＵ、ＲＡＭ、ＦＲＯＭを備え、ＦＲＯＭには子局ターミナル２で行なわれる一連の処理に必要なプログラムと、読取手段２１から引き渡された固有識別情報が記憶される。また、ＲＡＭには、センサ部１２から端子ＩＮＤを介して得た検出データが記憶される。そして、ＣＰＵの演算機能を用いて、検出に必要な情報を得るための処理が行なわれるものとなっている。ただし、ＦＲＯＭは、書き換えが可能な不揮発性のメモリである。
【００３９】
ＭＣＵ２３における処理を説明すると、まず、入力端子ＣＫから入力される、共通データ信号線ＤＰ、ＤＮの伝送クロック信号の１周期毎に割り当てられたアドレスをカウントする。そして、ＭＣＵ２３はそのカウントにより得られたデータ値（以下アドレスカウント値という）が、固有識別情報の一つである自局アドレスと一致すると、伝送クロック信号のタイミングに応じて、ＲＡＭに保持している検出データに相応する信号を自局の監視データ信号の重畳タイミングとして、出力端子ＯＵＴからトランジスタＴＲのベースへ出力する。具体的には、検出データが”ｏｎ”（センサ部１２が検出対象を検出したことを示す内容）であれば、トランジスタＴＲがｏｎとなり、電流が流れることで電圧が降下し、電圧レベルが０Ｖ近辺となり、その信号が共通データ信号線ＤＰ、ＤＮ上に伝送される。また、ＭＣＵ２３は、アドレスカウント値が自局アドレスと一致する伝送クロック信号のタイミングで得られる制御データに応じた信号を、パラレル出力端子ＯＵＴＤを介して被制御部１１に出力する。
【００４０】
ＩＣタグ３のＩＣチップ３２に記憶されている固有識別情報は、子局ターミナル２と別体の端末装置６によって確認することができる。端末装置６は、誘導アンテナ６１、入力部６２、表示部６３を備え、また、これらの制御を行なうＭＣＵ６５を有している。なお、これらの構成は、いずれも公知の部品や回路で構成することができるため詳細な説明は省略し、以下、この端末装置６を使用して子局ターミナル２の固体識別情報を確認する方法について説明する。
【００４１】
図３に示す端末装置６を使用して子局ターミナル２の個体識別情報の確認を行なうには、端末装置６の全体を子局ターミナル２に向い合わせて配置するだけでよい。このとき、誘導アンテナ６１が、ＩＣタグ３のアンテナ３１と電磁波の授受を行い、固有識別情報を受取る。図１において、端末装置６と、ＩＣタグ３のアンテナ３１との間の矢線は、電磁波の授受を表している。受取った情報は、ＭＣＵ６５を介し表示部６３に表示されるため、極めて容易に固有識別情報を確認することができる。しかも、ＩＣタグ３のＩＣチップ３２は、端末装置６の誘導アンテナ６１から発せられる電磁波の電力で動作するため、子局ターミナル２が正常に動作しなくなった場合にも、固有識別情報を抽出することが可能となる。
【００４２】
ＩＣタグ３は、また、報知応答手段として、表示素子３３を備えている。この表示素子３３は、アンテナ３１で受信した電磁波の電力で動作するものとなっており、この表示素子３３による応答を利用して固有識別情報を確認することができる。その場合は、まず、端末装置６の入力部６２から、確認対象となる子局ターミナル２の固有識別情報を入力してから、装置全体を子局ターミナル２に向い合わせて配置する。このとき、誘導アンテナ６１から発せられる電磁波は固有識別情報を含む応答要請信号となる。応答要請信号を受けたＩＣタグ３では、ＩＣチップ３２が応答要請信号に含まれる固有識別情報と、自局に記憶されている固有識別情報の照合を行なう。そして、双方が一致すれば、応答要請信号への報知応答として表示素子３３を点灯させる。表示素子３３は、ＩＣチップ３２と同様に、端末装置６の誘導アンテナ６１から発せられる電磁波の電力で動作するため、子局ターミナル２が正常に動作しなくなった場合にも、固有識別情報の確認を行なうことが可能となる。
【００４３】
なお、応答要請信号への報知応答の方法は表示素子３３の点灯に制限されるものではない。端末装置６の誘導アンテナ６１から発せられる電磁波の電力で動作し、作業者が認識できるものであれば、その他の手法（音など）を採用することもできる。
【００４４】
ＩＣタグ３として、ＩＣチップ３２がデータの書き換えを許容するものを採用すれば、端末装置６を使用して、固有識別情報を書き込むこともできる。その場合、書き換えたい固有識別情報は、端末装置６の入力部６２から入力すればよい。この際、ＩＣタグ３を子局ターミナル２から取り外し、作業性の良い場所で固有識別情報の書き換えを行なうことができるため、固有識別情報の修正作業を容易に行なうことも可能となる。
【００４５】
また、ＩＣタグ３として、子局ターミナル２の内部回路に対し有線接続する接続手段を有するものを採用すれば、子局ターミナル２の読取手段２１を省略することができる。図４に、ＩＣタグと子局ターミナルの内部回路が有線接続される場合の実施例を示す。なお、図４において、図１〜３に示す実施例と実質的に同一の部分には同符号を付し、その説明を省略または簡略化するものとする。
【００４６】
この子局ターミナル２０は、筐体の外部に図示しないホルダーが設けられている。そして、そのホルダーにＩＣタグ３０が着脱自在に収容されている。ＩＣタグ３０が内包するＩＣチップ３２からは、アンテナ３１とは別の信号線３４が延びており、その端部は、子局ターミナル２の筐体に設けられた端子を介し、子局ターミナル２のＭＣＵ２３に接続されている。そして、ＭＣＵ２３は、この信号線３４を介し、ＩＣチップ３２とデータの授受を行うものとなっている。このような子局ターミナル２０は、読取手段を持たなくともＩＣタグ３０との固有識別情報の授受を行うことができるため、従来の子局ターミナルにわずかな改良を加えたものを転用できる。
【００４７】
なお、この実施例においてＩＣタグ３０は、子局ターミナル２の筐体外部に取付けられているが、図１〜３に示す実施例のように、筐体に設けられたカードスロットに挿入されるものであってもよい。その場合、ＩＣタグ３０の信号線３４が子局ターミナル２のＭＣＵ２３に接続するための端子部は、カードスロットの内部に設ければよい。
【００４８】
上記実施例においては、本発明の情報付与部としてＩＣタグ３、或はＩＣタグ３０が採用されているが、これをスイッチ構造に代えることも可能である。図５に、情報付与部をスイッチ構造とした場合の実施例を示す。なお、図５において、図１〜４に示す実施例と実質的に同一の部分には同符号を付し、その説明を省略または簡略化するものとする。
【００４９】
図５に示す子局ターミナル２９の情報付与部３９は、ＭＣＵ２３に対し着脱自在とされているスイッチ構造３８で構成されている。この場合、スイッチ構造３８で設定された固有識別情報のＭＣＵ２３への引き渡しは、有線接続で行なわれることになる。なお、子局ターミナル２９と別体の端末装置６に固有識別情報を引き渡す機能は有さないものの、スイッチ構造３８で設定された情報であれば、子局ターミナル２９が正常動作していない場合であっても、これを視認することができる。更に、情報付与部３９を、子局ターミナル２９から取り外すことができるため、視認や設定を行なうにあたり作業性の良い場所で、それら作業を容易に行なうことができる。
【００５０】
上記何れの実施例においても、一つのターミナルにおいて被制御部１１への制御データの出力と、センサ部１２からの監視データの受け入れの双方が処理されているが、一つのターミナルがどちらか一つの処理のみを行なうものとしてもよい。例えば、被制御部１１への制御データの出力処理のみを行なう子局出力ターミナルと、センサ部１２からの監視データの受け入れ処理のみを行なう子局入力ターミナルの２種類のターミナルとしてもよい。
【符号の説明】
【００５１】
１    被制御装置
２、２０、２９  子局ターミナル
３、３０  ＩＣタグ
４    親局
５    制御部
６    端末装置
１１  被制御部
１２  センサ部
２１  読取手段
２２、６１  誘導アンテナ
２３、６５  ＭＣＵ
２８  アドレス設定スイッチ
３１  アンテナ
３２  ＩＣチップ
３３  表示素子
３８  スイッチ構造
３９  情報付与部
５１  出力ユニット
５２  入力ユニット
５３  制御データ
５４  監視データ
６２  入力部
６３  表示部
【図１】
2012059965.tif 000003
【図２】
2012059965.tif 000004
【図３】
2012059965.tif 000005
【図４】
2012059965.tif 000006
【図５】
2012059965.tif 000007
【国際調査報告】
2012059965.tif 000008
2012059965.tif 000009
2012059965.tif 000010
2012059965.tif 000011